(57)【要約】【課題】  従来、同期網の信号をパケット網で伝送する場合の伝送路装置が大きく、装置増減時に無瞬断で伝送することが難しかった。【解決手段】  同期網の信号をパケットに変換して冗長化されたパケット網に送信する送信側伝送装置と、パケットを中継する中継用伝送装置と、送信側伝送装置から送信されたパケットを受信して同期網の信号を復元する受信側伝送装置とを有し、送信側伝送装置は、パス設定時に位相調整を行う場合、パケットの特定ビットに情報を設定して送信し、中継用伝送装置は、送信側伝送装置から受信するパケットに含まれる特定ビットの情報を更新して中継し、受信側伝送装置は、冗長化された経路毎に受信するパケットを蓄積する複数の受信用バッファを有し、パケットに含まれる特定ビットの情報から中継用伝送装置の台数を取得して複数の受信用バッファに蓄積するパケットの位相調整を行う。【選択図】図１７
2015162747.tif 000002
【特許請求の範囲】
【請求項１】
同期網の信号をパケットに変換して冗長化されたパケット網に送信する送信側伝送装置と、
パケット網に配置され、前記送信側伝送装置が送信するパケットを中継する少なくとも１台の中継用伝送装置と、
前記送信側伝送装置から送信されたパケットを受信して、同期網の信号を復元する受信側伝送装置と
を有する伝送システムにおいて、
前記送信側伝送装置は、パス設定時に位相調整を行う場合、パケットの特定ビットに情報を設定して送信し、
前記中継用伝送装置は、前記送信側伝送装置から受信するパケットに含まれる前記特定ビットの情報を更新して中継し、
前記受信側伝送装置は、冗長化された経路毎に受信するパケットを蓄積する複数の受信用バッファを有し、パケットに含まれる前記特定ビットの情報から前記中継用伝送装置の台数を取得して前記複数の受信用バッファに蓄積するパケットの位相調整を行う
ことを特徴とする伝送システム。
【請求項２】
請求項１に記載の伝送システムにおいて、
前記特定ビットの情報は、位相調整中であることを示す第１フラグと、前記中継用伝送装置の台数をカウントするカウンタと、位相調整の終了を示す第２フラグとを含み、
前記送信側伝送装置は、前記第１フラグを立てると共に、前記カウンタを予め決められた初期値に設定したパケットをパケット網に送信し、
前記中継用伝送装置は、中継するパケットに含まれる前記第１フラグが立っている場合、前記カウンタを１つ増加し、
前記受信側伝送装置は、パケット網から受信するパケットの前記第１フラグが立っている場合、前記カウンタのカウンタ値から前記中継用伝送装置の台数を求め、前記受信用バッファに蓄積するパケットの位相調整を行った後、前記特定ビットの位相調整の終了を示す情報を設定して前記送信側伝送装置に送信する
ことを特徴とする伝送システム。
【請求項３】
請求項１または２に記載の伝送システムにおいて、
前記受信側伝送装置は、位相調整用バッファを有し、前記中継用伝送装置の増減に伴う位相調整を行う場合、前記複数の受信用バッファのいずれかを選択してパケットを読み出し、読み出したパケットのヘッダを除去した同期網の信号を前記位相調整用バッファに第１速度で書き込み、前記位相調整用バッファから前記第１速度よりも遅い第２速度で同期網の信号を読み出して正スタッフ動作により同期網の信号を復元し、前記複数の受信用バッファに蓄積するパケットの位相調整を行う
ことを特徴とする伝送システム。
【請求項４】
同期網との間で信号を送受信する同期網インターフェースと、
冗長化された経路毎に受信するパケットを蓄積する受信用バッファを有し、前記受信用バッファから出力されるパケットから同期網の信号を復元して前記同期網インターフェースを介して同期網に送信するパケット受信部と、
前記同期網インターフェースが受信した信号を格納したパケットを生成して冗長化されたパケット網に送信し、または、前記パケット受信部がパケット網から受信するパケットを再びパケット網に送信するパケット送信部と
を有する伝送装置において、
パス設定時に位相調整を行う場合、パケット網に送信するパケットの特定ビットに情報を設定して送信する設定部と、
パケット網から受信するパケットが自装置宛ではない場合、パケット網から受信したパケットに設定されている特定ビットの情報を更新したパケットを前記パケット送信部からパケット網に再び送信する中継処理部と、
パケット網から受信するパケットが自装置宛である場合、パケット網から受信したパケットに設定されている特定ビットの情報に応じて、冗長化された経路毎に前記受信用バッファに蓄積されるパケットの位相調整を行う位相処理部と
を設けたことを特徴とする伝送装置。
【請求項５】
請求項４に記載の伝送装置において、
前記特定ビットの情報は、位相調整中であることを示す第１フラグと、中継する前記伝送装置の台数をカウントするカウンタと、位相調整の終了を示す第２フラグとを含み、
前記パケット送信部は、同期網から受信する信号をパケットに変換して送信する場合、前記設定部により、前記第１フラグを立てると共に、前記カウンタを予め決められた初期値に設定したパケットをパケット網に送信し、
前記中継処理部は、パケット網から受信するパケットが自装置宛ではない場合、且つ、パケットの特定ビットの前記第１フラグが立っている場合、前記カウンタを１つ増加し、
前記パケット受信部は、パケット網から受信するパケットが自装置宛である場合、且つ、パケット網から受信するパケットの特定ビットの前記第１フラグが立っている場合、前記位相処理部により、前記カウンタのカウンタ値から中継した伝送装置の台数を求め、前記受信用バッファに蓄積するパケットの位相調整を行った後、前記特定ビットの位相調整の終了を示す情報を設定したパケットを前記パケット送信部から送信側の前記伝送装置に送信する
ことを特徴とする伝送装置。
【請求項６】
請求項４または５に記載の伝送装置において、
前記複数の受信用バッファのいずれかから読み出されたパケットのヘッダを除去した同期網の信号を蓄積する位相調整用バッファと、
パケットのヘッダを除去した同期網の信号を位相調整用バッファに第１速度で書き込み、前記位相調整用バッファから前記第１速度よりも遅い第２速度で同期網の信号を読み出す位相調整制御部と、
前記読出制御部が読み出した同期網の信号に正スタッフ動作を実行するスタッフ制御部と、
を有し、
前記位相調整制御部は、中継する伝送装置の増減に伴う位相調整を行う場合、前記位相調整用バッファを介して読み出した同期網の信号に対して、前記スタッフ制御部に正スタッフ動作を実行させて同期網の信号を復元し、前記複数の受信用バッファに蓄積するパケットの位相調整を行う
ことを特徴とする伝送装置。
【請求項７】
同期網の信号をパケットに変換して冗長化されたパケット網に送信する送信側伝送装置と、パケット網に配置され、前記送信側伝送装置が送信するパケットを中継する少なくとも１台の中継用伝送装置と、前記送信側伝送装置から送信されたパケットを受信して、同期網の信号を復元する受信側伝送装置とを有する伝送システムにおける無瞬断伝送方法であって、
前記送信側伝送装置は、パス設定時に位相調整を行う場合、パケットの特定ビットに情報を設定して送信し、
前記中継用伝送装置は、前記送信側伝送装置から受信するパケットに含まれる前記特定ビットの情報を更新して中継し、
前記受信側伝送装置は、冗長化された経路毎に受信するパケットを蓄積する複数の受信用バッファを有し、パケットに含まれる前記特定ビットの情報から前記中継用伝送装置の台数を取得して前記複数の受信用バッファに蓄積するパケットの位相調整を行う
ことを特徴とする無瞬断伝送方法。
【請求項８】
請求項７に記載の無瞬断伝送方法において、
前記特定ビットの情報は、位相調整中であることを示す第１フラグと、前記中継用伝送装置の台数をカウントするカウンタと、位相調整の終了を示す第２フラグとを含み、
前記送信側伝送装置は、前記第１フラグを立てると共に、前記カウンタを予め決められた初期値に設定したパケットをパケット網に送信し、
前記中継用伝送装置は、中継するパケットに含まれる前記第１フラグが立っている場合、前記カウンタを１つ増加し、
前記受信側伝送装置は、パケット網から受信するパケットの前記第１フラグが立っている場合、前記カウンタのカウンタ値から前記中継用伝送装置の台数を求め、前記受信用バッファに蓄積するパケットの位相調整を行った後、前記特定ビットの位相調整の終了を示す情報を設定して前記送信側伝送装置に送信する
ことを特徴とする無瞬断伝送方法。
【請求項９】
請求項７または８に記載の無瞬断伝送方法において、
前記受信側伝送装置は、位相調整用バッファを有し、前記中継用伝送装置の増減に伴う位相調整を行う場合、前記複数の受信用バッファのいずれかを選択してパケットを読み出し、読み出したパケットのヘッダを除去した同期網の信号を前記位相調整用バッファに第１速度で書き込み、前記位相調整用バッファから前記第１速度よりも遅い第２速度で同期網の信号を読み出して正スタッフ動作により同期網の信号を復元し、前記複数の受信用バッファに蓄積するパケットの位相調整を行う
ことを特徴とする無瞬断伝送方法。
【発明の詳細な説明】
【技術分野】
【０００１】
本発明は、伝送システム、伝送装置および無瞬断伝送方法に関する。
【背景技術】
【０００２】
近年、SDH/SONET(Synchronous Digital Hierarchy/Synchronous Optical NETwork)などの同期網をMPLS(Multi Protocol Label Switching)などのパケットリングネットワークで中継するCES(Circuit Emulation Service)方式が利用されている。CES方式は、同期網で送信されるTDM(Time Division Multiplexing)信号をパケット化してパケットリングネットワークで中継し、受信側の伝送装置で受信したパケットをTDM信号に復元して再び同期網に送信する技術である(例えば、非特許文献１参照)。
【先行技術文献】
【非特許文献】
【０００３】
【非特許文献１】IETF RFC4842 Synchronous Optical Network/Synchronous Digital Hierarchy (SONET/SDH) Circuit Emulation over Packet (CEP)
【発明の概要】
【発明が解決しようとする課題】
【０００４】
一方、同期網であるSDH/SONETのデータは一定間隔で連続しているため、受信側の伝送装置は、非同期で受信するパケットからSDH/SONETの信号を途切れることなく復元することが求められる。一方、冗長化された経路を無瞬断で切り替えるためには、設置可能な中継用の装置台数の上限に対応する遅延量を考慮した数のパケットを受信バッファに蓄積することが求められる。ところが、設置可能な中継用の装置台数の上限よりも少ない装置台数の場合でも受信バッファに蓄積するパケットの数は変わらない。このため、実際に設置されている中継用の装置台数に対応する遅延量に合わせて受信バッファに蓄積するパケットの数を調整する場合に比べて伝送路遅延が大きくなるという問題がある。また、中継する伝送装置の台数が変更された場合、冗長化された経路のパケットの到着時間が逆転し、受信バッファに蓄積するパケットの位相の再調整を行うため、瞬断が発生するという問題がある。
【０００５】
本件開示の伝送システム、伝送装置および無瞬断伝送方法は、伝送路遅延が少なくなるように遅延量を調整すると共に、無瞬断で伝送する技術を提供することを目的とする。
【課題を解決するための手段】
【０００６】
一つの観点によれば、同期網の信号をパケットに変換して冗長化されたパケット網に送信する送信側伝送装置と、パケット網に配置され、送信側伝送装置が送信するパケットを中継する少なくとも１台の中継用伝送装置と、送信側伝送装置から送信されたパケットを受信して、同期網の信号を復元する受信側伝送装置とを有する伝送システムにおいて、送信側伝送装置は、パス設定時に位相調整を行う場合、パケットの特定ビットに情報を設定して送信し、中継用伝送装置は、送信側伝送装置から受信するパケットに含まれる特定ビットの情報を更新して中継し、受信側伝送装置は、冗長化された経路毎に受信するパケットを蓄積する複数の受信用バッファを有し、パケットに含まれる特定ビットの情報から中継用伝送装置の台数を取得して複数の受信用バッファに蓄積するパケットの位相調整を行うことを特徴とする。
【０００７】
一つの観点によれば、同期網との間で信号を送受信する同期網インターフェースと、冗長化された経路毎に受信するパケットを蓄積する受信用バッファを有し、受信用バッファから出力されるパケットから同期網の信号を復元して同期網インターフェースを介して同期網に送信するパケット受信部と、同期網インターフェースが受信した信号を格納したパケットを生成して冗長化されたパケット網に送信し、または、パケット受信部がパケット網から受信するパケットを再びパケット網に送信するパケット送信部とを有する伝送装置において、パス設定時に位相調整を行う場合、パケット網に送信するパケットの特定ビットに情報を設定して送信する設定部と、パケット網から受信するパケットが自装置宛ではない場合、パケット網から受信したパケットに設定されている特定ビットの情報を更新したパケットをパケット送信部からパケット網に再び送信する中継処理部と、パケット網から受信するパケットが自装置宛である場合、パケット網から受信したパケットに設定されている特定ビットの情報に応じて、冗長化された経路毎に受信用バッファに蓄積されるパケットの位相調整を行う位相処理部とを設けたことを特徴とする。
【０００８】
一つの観点によれば、同期網の信号をパケットに変換して冗長化されたパケット網に送信する送信側伝送装置と、パケット網に配置され、送信側伝送装置が送信するパケットを中継する少なくとも１台の中継用伝送装置と、送信側伝送装置から送信されたパケットを受信して、同期網の信号を復元する受信側伝送装置とを有する伝送システムにおける無瞬断伝送方法であって、送信側伝送装置は、パス設定時に位相調整を行う場合、パケットの特定ビットに情報を設定して送信し、中継用伝送装置は、送信側伝送装置から受信するパケットに含まれる特定ビットの情報を更新して中継し、受信側伝送装置は、冗長化された経路毎に受信するパケットを蓄積する複数の受信用バッファを有し、パケットに含まれる特定ビットの情報から中継用伝送装置の台数を取得して複数の受信用バッファに蓄積するパケットの位相調整を行うことを特徴とする。
【発明の効果】
【０００９】
本件開示の伝送システム、伝送装置および無瞬断伝送方法は、伝送路装置が少なくなるように遅延量を調整すると共に、無瞬断で伝送することができる。
【図面の簡単な説明】
【００１０】
【図１】伝送システムの一例を示す。
【図２】中継用の伝送装置を有する伝送システムの一例を示す。
【図３】SDH/SONET信号をパケット化して伝送する一例を示す。
【図４】伝送装置の一例を示す。
【図５】ＣＥＳ＿ＩＦの一例を示す。
【図６】パケットの基本フォーマットの一例を示す。
【図７】CEP Headerのフォーマットの一例を示す。
【図８】RTP Headerのフォーマットの一例を示す。
【図９】CEPパケットのペイロードに格納するSDHのSTM-1フレームの一例を示す。
【図１０】CEP Headerを利用した位相調整の実施例を示す。
【図１１】送信側の伝送装置のパケット送信部の一例を示す。
【図１２】受信側の伝送装置のパケット受信部の一例を示す。
【図１３】中継用の伝送装置の一例を示す。
【図１４】中継用の伝送装置の台数が異なる場合の一例を示す。
【図１５】伝送装置のパケットバッファに蓄積されるパケットの一例を示す。
【図１６】伝送路遅延の一例を示す。
【図１７】位相調整情報を伝送する一例を示す。
【図１８】位相調整が完了後のパケットバッファに蓄積されるパケットの一例を示す。
【図１９】パケットバッファの一例を示す。
【図２０】パケットの到着時間が逆転した時のパケットバッファの一例を示す。
【図２１】位相を再調整する時のパケットバッファの一例を示す。
【図２２】STM-1フレームのペイロード部の一例を示す。
【図２３】VC-4の場合の正スタッフ動作の一例を示す。
【図２４】第２実施形態に係るパケット受信部の一例を示す。
【図２５】中継用の伝送装置を増設する一例を示す。
【図２６】増設前の伝送装置のパケットバッファの一例を示す。
【図２７】中継用の伝送装置を増設する時のパケットバッファの一例を示す。
【図２８】正スタッフ動作を利用して位相の再調整を行う一例を示す。
【図２９】正スタッフ動作を利用して位相再調整後のパケットバッファの一例を示す。
【図３０】第１実施形態と第２実施形態とを適用した時のパケットバッファの一例を示す。
【発明を実施するための形態】
【００１１】
以下、図面を用いて実施形態を説明する。
［伝送システム１００の一例］
図１は、伝送システム１００の一例を示す。図１において、伝送システム１００は、伝送装置１０１(１)と伝送装置１０１(２)とを有し、伝送装置１０１(１)と伝送装置１０１(２)はパケットリングネットワーク１０２で接続されている。そして、伝送システム１００は、SDH/SONETなどの規格に対応する同期伝送装置１５１と同期伝送装置１５２との間の通信をパケットリングネットワーク１０２で中継する。尚、パケットリングネットワーク１０２は、WEST側とEAST側とに冗長化されている。
【００１２】
図１において、伝送装置１０１(１)は、ＣＥＳ＿ＩＦ(CES _InterFace)２０１(１)と、１０ＧＥ＿ＩＦ(Gigabit Ethernet(登録商標)_InterFace)２０２Ｗ(１)と、１０ＧＥ＿ＩＦ２０２Ｅ(１)とを有する。
【００１３】
ＣＥＳ＿ＩＦ２０１(１)は、同期伝送装置１５１から受信するSDH/SONET信号をCES方式によりパケット化する。そして、ＣＥＳ＿ＩＦ２０１(１)は、作成したパケットをコピーして、後述する１０ＧＥ＿ＩＦ２０２Ｗ(１)と後述する１０ＧＥ＿ＩＦ２０２Ｅ(１)とに出力する。
【００１４】
１０ＧＥ＿ＩＦ２０２Ｗ(１)は、ＣＥＳ＿ＩＦ２０１(１)が作成したパケットをパケットリングネットワーク１０２のWEST側の経路から伝送装置１０１(２)に送信する。
【００１５】
１０ＧＥ＿ＩＦ２０２Ｅ(１)は、ＣＥＳ＿ＩＦ２０１(１)が作成したパケットをパケットリングネットワーク１０２のEAST側の経路から伝送装置１０１(２)に送信する。
【００１６】
同様に、図１において、伝送装置１０１(２)は、ＣＥＳ＿ＩＦ２０１(２)と、１０ＧＥ＿ＩＦ２０２Ｗ(２)と、１０ＧＥ＿ＩＦ２０２Ｅ(２)とを有する。そして、伝送装置１０１(１)のWEST側の１０ＧＥ＿ＩＦ２０２Ｗ(１)は、パケットリングネットワーク１０２を介して伝送装置１０１(２)のEAST側の１０ＧＥ＿ＩＦ２０２Ｅ(２)に接続される。また、伝送装置１０１(１)のEAST側の１０ＧＥ＿ＩＦ２０２Ｅ(１)は、パケットリングネットワーク１０２を介して伝送装置１０１(２)のWEST側の１０ＧＥ＿ＩＦ２０２Ｗ(２)に接続される。
【００１７】
尚、図１は、伝送装置１０１(１)が送信側で伝送装置１０１(２)が受信側の例を示しているが、伝送装置１０１(２)が送信側の時には伝送装置１０１(１)が受信側となる。すなわち、伝送装置１０１(１)と伝送装置１０１(２)とは双方向の通信を行うことができる。
【００１８】
ここで、伝送装置１０１(１)および伝送装置１０１(２)に共通する内容を説明する場合は、符号末尾の(数字)を省略して、伝送装置１０１と表記する。また、１０ＧＥ＿ＩＦ２０２Ｗおよび１０ＧＥ＿ＩＦ２０２Ｅについても伝送装置１０１と同様に表記する。例えば、１０ＧＥ＿ＩＦ２０２Ｗ(１)および１０ＧＥ＿ＩＦ２０２Ｗ(２)に共通する内容を説明する場合はＧＥ＿ＩＦ２０２Ｗと表記する。同様に、１０ＧＥ＿ＩＦ２０２Ｅ(１)および１０ＧＥ＿ＩＦ２０２Ｅ(２)に共通する内容を説明する場合は１０ＧＥ＿ＩＦ２０２Ｅと表記する。尚、符号末尾の(数字)は、複数の伝送装置１０１を区別するための番号であり、３台目の伝送装置１０１は伝送装置１０１(３)、ｎ(ｎは正の整数)台目の伝送装置１０１は伝送装置１０１(ｎ)のように表記する。また、１０ＧＥ＿ＩＦ２０２Ｗおよび１０ＧＥ＿ＩＦ２０２Ｅに共通する内容を説明する場合は、符号末尾のＥ又はＷを省略して、１０ＧＥ＿ＩＦ２０２と表記する。
【００１９】
図２は、中継用の伝送装置１０１を有する伝送システム１００の一例を示す。尚、図２において、図１と同符号のブロックは、図１と同一又は同様の機能を有する。図２と図１との違いは、図１に示した伝送装置１０１(１)のWEST側と伝送装置１０１(２)のEAST側との間に、中継用の伝送装置１０１(３)が配置されていることである。さらに、図２と図１との違いは、図１に示した伝送装置１０１(１)のEAST側と伝送装置１０１(２)のWEST側との間に、中継用の伝送装置１０１(４)および伝送装置１０１(５)が配置されていることである。ここで、中継用の伝送装置１０１(３)、１０１(４)および１０１(５)は、伝送装置１０１(１)および伝送装置１０１(２)と同一又は同様の機能を有するが、中継用の各伝送装置１０１のＣＥＳ＿ＩＦ２０１の図示は省略してある。尚、終端用の伝送装置１０１(１)および伝送装置１０１(２)は、SDH/SONET信号をパケット化して１０ＧＥ＿ＩＦ２０２にパケットリングネットワーク１０２上に乗せる動作(Add)を行う。逆に、伝送装置１０１(１)および伝送装置１０１(２)は、パケットリングネットワーク１０２上から自装置宛のパケットを取り込んでSDH/SONET信号に戻す動作(Drop)も行う。これに対して、中継用の伝送装置１０１は、１０ＧＥ＿ＩＦ２０２Ｗと１０ＧＥ＿ＩＦ２０２Ｅとの間で自装置宛ではないパケットを転送する処理を行う。例えば、中継用の伝送装置１０１(３)は、１０ＧＥ＿ＩＦ２０２Ｅ(３)が伝送装置１０１(１)から受信するパケットを１０ＧＥ＿ＩＦ２０２Ｗ(３)から伝送装置１０１(２)へ転送する処理を行う。同様に、中継用の伝送装置１０１(４)は、１０ＧＥ＿ＩＦ２０２Ｅ(４)が伝送装置１０１(１)から受信するパケットを１０ＧＥ＿ＩＦ２０２Ｗ(４)から次の中継用の伝送装置１０１(５)に転送する。さらに、伝送装置１０１(５)は、伝送装置１０１(４)から受信するパケットを伝送装置１０１(２)へ転送する処理を行う。
【００２０】
このように、本実施形態に係る伝送システム１００は、中継用の伝送装置１０１(３)を経由する経路と、中継用の伝送装置１０１(４)および伝送装置１０１(５)を経由する経路との２つの経路に冗長化されている。例えば、伝送装置１０１(３)を経由する経路を選択系(運用系とも称する)、伝送装置１０１(４)および伝送装置１０１(５)を経由する経路を予備系として使用する。これにより、本実施形態に係る伝送システム１００は、例えば伝送装置１０１(３)を経由する選択系の経路に障害が発生したり、装置を増減する場合、伝送装置１０１(４)および伝送装置１０１(５)を経由する予備系の経路に切り替えて通信を継続することができる。
【００２１】
図３は、SDH/SONET信号をパケット化して伝送する一例を示す。尚、図３において、図２と同符号のブロックは、図２と同一又は同様の機能を有する。
【００２２】
送信側の伝送装置１０１(１)は、SDH/SONET信号から生成したパケットにシーケンス番号を付加してコピーし、パケットリングネットワーク１０２のWEST側とEAST側とに冗長化された２つの経路にそれぞれパケットを送信する。
【００２３】
一方、受信側の伝送装置１０１(２)は、選択系の経路から予備系の経路に無瞬断で切り替えるために、伝送装置１０１(１)から受信したパケットを一時的に蓄積するバッファを有する。図３の例では、受信側の伝送装置１０１(２)のＣＥＳ＿ＩＦ２０１(２)は、パケットバッファ５０１Ｅおよびパケットバッファ５０１Ｗを有する。
【００２４】
パケットバッファ５０１Ｅは、１０ＧＥ＿ＩＦ２０２Ｅ(２)がEAST側から受信した自装置宛のSDH/SONET信号が格納されたパケットを蓄積する。
【００２５】
パケットバッファ５０１Ｗは、１０ＧＥ＿ＩＦ２０２Ｗ(２)がWEST側から受信した自装置宛のSDH/SONET信号が格納されたパケットを蓄積する。ここで、パケットバッファ５０１Ｅとパケットバッファ５０１Ｗとに共通する内容を説明する場合は、符号末尾のＥ又はＷを省略して、パケットバッファ５０１と表記する。
【００２６】
図３において、ＣＥＳ＿ＩＦ２０１(１)は、SDH/SONET網から受信するSDH/SONET信号をCES方式に基づいてパケット化して、１０ＧＥ＿ＩＦ２０２Ｗ(１)と１０ＧＥ＿ＩＦ２０２Ｅ(１)とに出力する。尚、ＣＥＳ＿ＩＦ２０１(１)は、作成したパケットの順番が分かるように、シーケンシャル番号を付加する。例えば、図３において、パケットの先頭に付加されている番号がシーケンス番号である。以降の説明において、例えばシーケンス番号が”１”のパケットを示す場合、パケット[1]のように表記する。図３の例は、パケット[7]がＣＥＳ＿ＩＦ２０１(１)で作成され、先に作成されたパケット[1]からパケット[6]は、選択系と予備系の経路に冗長化されて伝送装置１０１(２)に送信されている様子を示している。
【００２７】
ここで、図３において、選択系および予備系の各経路は、中継用の伝送装置１０１の台数が異なるので伝送路遅延も異なる。例えば図３の場合、中継用の伝送装置１０１の台数が予備系よりも選択系の方が少ないので、選択系の経路のパケットの方が予備系の経路のパケットよりも早く伝送装置１０１(２)に到着する。尚、受信側の伝送装置１０１(２)は、受信パケットを同期網のSDH/SONET信号に復元するため、選択系のパケットバッファ５０１にはマージンとして少なくとも１つのパケットが蓄積されていることが求められる。また、選択系から予備系に信号が途切れることなく切り替えを行うためには、同じシーケンス番号のパケットがパケットバッファ５０１Ｅとパケットバッファ５０１Ｗとに蓄積されていることが求められる。例えば図３の場合、パケットの到着が予備系よりも早い選択系のパケットバッファ５０１Ｅにはパケット[1]とパケット[2]とが蓄積されている。一方、パケットの到着が選択系よりも遅い予備系のパケットバッファ５０１Ｗにはパケット[1]が蓄積されている。このように、パケット[1]が選択系と予備系の両方のパケットバッファ５０１に蓄積されているので、選択系から予備系への経路の切り替えを行った場合でも伝送装置１０１(２)は、SDH/SONET信号を途切れることなく復元できる。
【００２８】
ここで、以降の説明において、パケットの到着が早い方の系を早着系、パケットの到着が遅い方の系を遅着系と称する。
【００２９】
受信側の伝送装置１０１(２)は、パケットバッファ５０１Ｅとパケットバッファ５０１Ｗとに蓄積されているパケットのシーケンス番号をチェックする。そして、伝送装置１０１(２)は、遅着系と早着系との両方のパケットバッファ５０１に格納されている同一のシーケンス番号のパケットの位相差(到着時間の差に相当)を確認する。そして、伝送装置１０１(２)は、早着系のパケットバッファ５０１に格納されているパケットを遅着系と早着系との位相差に相当する「揺らぎ吸収分＋装置増減設分」の時間を遅延させた後、当該パケットを読み出して透過する。このように、読み出し位相を決定する動作を位相調整と呼ぶ。尚、予備系から読み出される同一のシーケンス番号のパケットは、廃棄される。
【００３０】
図４は、伝送装置１０１の一例を示す。図４において、伝送装置１０１は、ＣＥＳ＿ＩＦ２０１と、１０ＧＥ＿ＩＦ２０２Ｗと、１０ＧＥ＿ＩＦ２０２Ｅと、制御部２０３とを有する。尚、ＣＥＳ＿ＩＦ２０１、１０ＧＥ＿ＩＦ２０２Ｗおよび１０ＧＥ＿ＩＦ２０２Ｅは、図１に示した同符号のブロックと同一又は同様の機能を有する。制御部２０３は、図示していない監視制御装置に接続され、監視制御装置との間で制御情報を送受信する。例えば、制御部２０３は、伝送装置１０１に異常が発生した場合に、監視制御装置に警報を送信する。或いは、制御部２０３は、監視制御装置から経路の切り替えを指示する制御情報を受信した場合、ＣＥＳ＿ＩＦ２０１、１０ＧＥ＿ＩＦ２０２Ｅおよび１０ＧＥ＿ＩＦ２０２Ｗを制御して、経路の切り替えを行う。
【００３１】
図５は、ＣＥＳ＿ＩＦ２０１の一例を示す。図５(ａ)は、図１に示した伝送装置１０１(１)のＣＥＳ＿ＩＦ２０１(１)の一例を示す。図５(ａ)において、ＣＥＳ＿ＩＦ２０１(１)は、SDH/SONET信号を受信するＴＤＭ＿ＩＦ(Time Divition Multiplex InterFace)３０１(１)と、パケット送信部３０２(１)とを有する。
【００３２】
ＴＤＭ＿ＩＦ３０１(１)は、SDH/SONET網から受信するSDH/SONET信号を終端し、後述するパケット送信部３０２(１)に出力する。
【００３３】
パケット送信部３０２(１)は、SDH/SONET信号をCES方式によりパケット化する。そして、パケット送信部３０２(１)は、作成したパケットを１０ＧＥ＿ＩＦ２０２に出力する。
【００３４】
図５(ｂ)は、図１に示した伝送装置１０１(２)のＣＥＳ＿ＩＦ２０１(２)の一例を示す。図５(ｂ)において、ＣＥＳ＿ＩＦ２０１(２)は、ＴＤＭ＿ＩＦ３０１(２)と、パケット受信部３０２(２)とを有する。
【００３５】
パケット受信部３０２(２)は、１０ＧＥ＿ＩＦ２０２からパケットを受け取り、CES方式によりパケット化されたSDH/SONET信号を復元する。そして、パケット受信部３０２(２)は、SDH/SONET信号をＴＤＭ＿ＩＦ３０１(２)に出力する。
【００３６】
ＴＤＭ＿ＩＦ３０１(２)は、SDH/SONET信号に対して、後述するスタッフ処理などを行って、SDH/SONET網に送信する。
【００３７】
ここで、図５(ａ)は送信側の伝送装置１０１(１)、図５(ｂ)は受信側の伝送装置１０１(１)の一例をそれぞれ示しているが、伝送システム１００は、双方向の通信を行う。例えば、ＣＥＳ＿ＩＦ２０１は、図５(ｃ)に示すように、ＴＤＭ＿ＩＦ３０１と、パケット送信部３０２と、パケット受信部３０３とを有する。そして、ＣＥＳ＿ＩＦ２０１は、ＴＤＭ＿ＩＦ３０１により、SDH/SONET網との間でSDH/SONET信号を送受信し、パケット送信部３０２およびパケット受信部３０３により、１０ＧＥ＿ＩＦ２０２との間でパケットを送受信する。
［パケットフォーマット］
次に、本実施形態で使用するCES方式のパケットのフォーマットについて説明する。尚、CES方式は、IETF(Internet Engineering Task Force)のRFC(Request for Comments)4842で勧告されている。
【００３８】
図６は、パケットの基本フォーマットの一例を示す。尚、図６に示したパケットは、CES方式で用いられるCEP(Circuit Emulation over Packet)パケットの一例である。図６において、「SONET/SDH Fragment」は、SDH/SONET信号のパスを格納するペイロード領域である。例えば、SDHのVC(Virtual Container)-3のパスをパケット化して伝送する際、VC-3の783バイトの情報が「SONET/SDH Fragment」のペイロード領域にマッピングされる。また、「CEP Header/RTP(Real-time Transport Protocol) Header」は、SDH/SONET信号のパスをパケット化するためのヘッダである。さらに、「PSN and Multiplexing Layer Headers」は、CEP Headerなどが付加されたパケットを図１などに示したパケットリングネットワーク１０２で伝送するために付加されるヘッダで、例えばMPLSのラベルなどに相当する。
【００３９】
ここで、SDH/SONETで用いられる基本フレームは、SDHの規格ではSTM(Synchronous Transport Module)、SONETの規格ではOC(Optical Carrier)と呼ばれており、例えばSTM-1/OC-3の場合、通信容量は約155Mbpsである。尚、以降で説明する実施形態では、SDHのSTM-1を例に挙げて説明するが、SONETのOC-3の場合も同様に適用できる。
【００４０】
図７は、CEP Headerのフォーマットの一例を示す。図７において、CEP Headerの各領域に格納される情報は、以下に示す通りである。
・0：二進数の”０”を示す。
・L：CEP-AIS(Alarm Indication Signal)を示すビット(AIS時:1)。
・R：CEP-RDI(Remote Defect Indication)を示すビット(RDI時:1)。
・N，Ｐ：正負スタッフ指示バイトである。
・FRG：”０”を送信(受信側では無視)。
・Length：CEP/RTP Header + ペイロードの総データ長を示す。
・Sequence Number：パケットの順番を示すパケットシーケンス番号(0-0xFFFF)。
・Structure Pointer：SDH/SONETパスの先頭バイトのオフセット値を示す。例えば、VCパスのポインタ値の場合、後述するJ1バイトの位置が示される。
・Reserved field：予備領域で”０”を送信(受信側では無視)。尚、本実施形態に係る伝送システム１００は、後述するように、Reserved fieldを利用する。
【００４１】
図８は、RTP Headerのフォーマットの一例を示す。尚、RTP Headerはオプションとして定義されている。ここで、図８において、RTP Headerの各領域に格納される情報は、以下に示す通りである。
・V:RTPのVersionを示す(例えば”２”に固定)。
・P:ペイロード最後のパディングの有無を示す(例えば”０”に固定)。
・X:RTP拡張ヘッダの有無を示す(例えば”０”に固定)。
・CC:CSRC Countの略で１対１の通信では”０”に固定。
・M:イベントマーカーで通常”０”に固定。
・PT:ペイロード Type(符号データの種類)を示す。
・Sequence Number: CEP Headerと同じパケットシーケンス番号である。
・Timestamp:タイムスタンプ値である。
・SSRC(Synchronization SouRCe):同期ソースを示す。
【００４２】
図６、図７および図８で説明したように、本実施形態に係る伝送システム１００は、送信側でSDH/SONET信号をCEPパケットのペイロード領域に格納し、受信側でCEPパケットから再びSDH/SONET信号に復元する。
［ＶＣパスのＣＥＰパケット変換］
図９は、CEPパケットのペイロードに格納するSDHのSTM-1フレームの一例を示す。
【００４３】
SDH/SONET信号をCEPパケット化するのは、CESインタフェースカード(例えば伝送装置１０１(１)のＣＥＳ＿ＩＦ２０１)である。ＣＥＳ＿ＩＦ２０１は、例えばSDH/SONET対応の装置からSTM-1信号を受信し、STM-1信号内のVCパスにCEP HeaderとRTP Headerを付与してCEPパケット化する。そして、所定の宛先(例えば伝送装置１０１(２))を含むMPLS等のラベルがCEPパケットに付加された後、１０ＧＥ＿ＩＦ２０２Ｅ／１０ＧＥ＿ＩＦ２０２Ｗは、それぞれの経路にCEPパケットを送出する。ここで、VC-3パスの場合は、１フレームの783バイトをひとつのパケットとし、VC-4パスの場合は、1フレームを3分割して783バイト×３パケットとして、伝送装置１０１は、VC-3/VC-4のパスをパケット化して送出する。
【００４４】
図９において、STM-1フレームは、セクションオーバヘッド(以下、SOH)と呼ばれる領域とペイロードと呼ばれる領域とを有する。SOHは、９バイト×９行の多重化セクションヘッダで、運用や保守に使用する情報などを格納し、下記の３つの領域を有する。
・RSOH(Regenerator Section OverHead：中継セクションのオーバヘッド
・AU(administrative units)ポインタ：正負スタッフ動作などに利用
・MSOH(Multiplex Section  OverHead：端局セクションオーバーヘッド
図９において、STM-1のVC-4パスは、(783バイト×3)バイトの帯域があるので、VC-4(1)、VC-4(2)およびVC-4(3)の３つに分割して、それぞれをCEPパケットのペイロード領域に格納し、３つのCEPパケットを作成する。尚、VC-3パスの場合は１フレームが783バイトなので、VC-3の１フレームが１つのパケットに格納される。
【００４５】
ここで、STM-1フレームの詳細については、「ITU-T G.707/Telcordia GR-253-CORE準拠」の規格書などに記載されており、本実施形態に関係しない部分の説明は省略する。
【００４６】
以下、各実施形態について詳しく説明する。
（第１実施形態）
図１０は、CEP Headerを利用した位相調整の一例を示す。図１０に示したCEP Headerは、図７で説明したCEP Headerフォーマットに対応し、本実施形態に係る伝送システム１００は、CEP Headerの３２ビット目から３９ビット目までの８ビットのReserved領域を利用する。
【００４７】
図１０において、３２ビット目がビットＡ、３３ビット目がビットＢ、３４ビット目から３９ビット目までの６ビットがビットＣと定義する。尚、ビットＡ，Ｂ，Ｃは、それぞれ下記の情報を示す。
・ビットＡ:位相調整期間中であることをパケットリングネットワーク１０２内の伝送装置１０１に示すためのビット(1Bit)
・ビットＢ:位相調整期間が終了したことを各伝送装置１０１に示すためのビット(1Bit)
・ビットＣ:ビットＡを検出した中継用の伝送装置１０１が自装置を通過する毎に１つ増加するカウンタ(図１０の例では、６ビットのカウンタ)
ここで、ビットＡ、ビットＢおよびビットＣを位相調整情報と称する。
【００４８】
本実施形態に係る伝送システム１００における伝送装置１０１は、CEPパケットのパス設定時（稼動開始時や障害復旧時など）に次のように動作して冗長経路の位相調整を開始する。先ず、送信側の伝送装置１０１は、CEP HeaderのビットＡの領域に”１”を立てると共に、ビットＣの６ビットを”１”にして、CEPパケットを送信する。そして、中継用の伝送装置１０１は、ビットＡが”１”であることを検出したら、ビットＣ(以降、６ビットのカウンタを示す)を１つカウントアップする。受信側の伝送装置１０１は、CEPパケットを受信して、CEP HeaderのビットＡの領域に”１”が立っている場合、位相調整を実施する。この時、伝送装置１０１は、ビットＣを参照し、中継した伝送装置１０１の台数が何台あったか検出する。そして、伝送装置１０１は、中継した伝送装置１０１の台数に基づいて、揺らぎ吸収分としてパケットバッファ５０１に蓄積するパケットの蓄積量を設定する。これにより、本実施形態に係る伝送システム１００は、パケットリングネットワーク１０２の状況に応じてパケットバッファ５０１のパケット蓄積量を調整することができる。そして、位相調整の完了後、受信側の伝送装置１０１は、ビットＢに”１”を立てて送信側の伝送装置１０１に返送し、位相調整が終了したことを通知する。これを受けた送信側の伝送装置１０１は、ビットＡを”０”に戻して、位相調整期間を終了する。
【００４９】
［送信側の伝送装置１０１の例］
図１１は、送信側の伝送装置１０１のパケット送信部３０２の一例を示す。尚、図１１に示したパケット送信部３０２は、図５で説明したパケット送信部３０２と同一又は同様の機能を有する。
【００５０】
図１１において、パケット送信部３０２は、パケット組立部４０１と、位相調整情報設定部４０２と、ＳＮ(Sequence Number)付与部４０３とを有する。
【００５１】
パケット組立部４０１は、先に説明したCEPパケットを作成し、シーケンス番号を付与して１０ＧＥ＿ＩＦ２０２に出力する。
【００５２】
位相調整情報設定部４０２は、パケット組立部４０１がCEPパケットを作成する時に、図１０で説明したCEP Headerに位相調整に用いるビットＡ、ビットＢおよびビットＣの設定や更新を行う。尚、位相調整情報設定部４０２は、図４で説明した制御部２０３から位相調整の開始指令を受けた場合に、ビットＡの領域に”１”を立てると共に、ビットＣの６ビットを”１”にする。また、パケット受信部３０３が位相調整を終了した場合に、位相調整情報設定部４０２は、パケット組立部４０１が作成するCEPパケットのビットＢの領域に”１”を立てる。
【００５３】
ＳＮ付与部４０３は、パケット組立部４０１が作成したCEPパケットを送信する順番を示すシーケンス番号を付与する。
【００５４】
［受信側の伝送装置１０１の例］
図１２は、受信側の伝送装置１０１のパケット受信部３０３の一例を示す。尚、図１２に示したパケット受信部３０３は、図５で説明したパケット受信部３０３と同一又は同様の機能を有する。
【００５５】
図１２において、パケット受信部３０３は、パケットバッファ５０１Ｅと、パケットバッファ５０１Ｗと、セレクタ部５０２と、CESヘッダ除去部５０３と、パス切替部５０４と、制御部５０５と、位相処理部５０６とを有する。尚、パケットバッファ５０１Ｅおよびパケットバッファ５０１Ｗは、図３で説明したパケットバッファ５０１Ｅおよびパケットバッファ５０１Ｗと同一又は同様の機能を有する。
【００５６】
セレクタ部５０２は、パケットバッファ５０１Ｅまたはパケットバッファ５０１Ｗを選択して経路を切り替えるためのスイッチである。
【００５７】
CESヘッダ除去部５０３は、送信側の伝送装置１０１で付加されたCESヘッダ(PSN/CEP/RTP)を除去し、例えばSTM-1の場合はVC-3またはVC-4の信号にする。
【００５８】
パス切替部５０４は、セレクタ部５０２を制御して経路の切り替えを行う。
【００５９】
制御部５０５は、図４で説明した伝送装置１０１の制御部２０３の指令により動作し、パケット受信部３０３全体を制御する。例えば、制御部２０３から経路を切り替える指令があった場合、パス切替部５０４によりセレクタ部５０２を制御して、経路を選択系から予備系に切り替える。或いは、制御部５０５は、位相処理部５０６から位相調整が終了したことを示す通知を受けると、制御部２０３を介してパケット送信部３０２に指令してビットＢに”１”を立てたパケットを送信側の伝送装置１０１に返送する。
【００６０】
位相処理部５０６は、パケットリングネットワーク１０２から受信するパケットが自装置宛である場合、且つ、パケットの特定ビットの情報が設定されている場合、次の処理を行う。例えば、位相処理部５０６は、特定ビットの情報に応じて、冗長化された経路毎にパケットバッファ５０１に蓄積されるパケットの位相調整を行う。具体的には、位相処理部５０６は、パケットバッファ５０１Ｅおよびパケットバッファ５０１Ｗに格納されるパケットのシーケンス番号と、送信側の伝送装置１０１から受信する位相調整情報に基づいて位相調整を行う。例えば、図１０で説明したように、位相処理部５０６は、ビットＡが”１”の場合に、ビットＣのカウンタ値を参照して位相調整を開始し、位相調整が終了したことを制御部５０５に知らせる。
【００６１】
［中継用の伝送装置１０１の例］
図１３は、図２に示した中継用の伝送装置１０１(３)の一例を示す。尚、伝送装置１０１(３)は、図４で説明した伝送装置１０１と基本構成は同じであるが、中継用の伝送装置１０１として動作する場合、中継処理部６０１が機能する。
【００６２】
中継処理部６０１は、パケットリングネットワーク１０２から受信するパケットが自装置宛ではない場合、且つ、パケットの特定ビットの情報が設定されている場合、特定ビットの情報を更新したパケットをパケットリングネットワーク１０２に再び送信する。
【００６３】
例えば、中継用の伝送装置１０１（３）は、１０ＧＥ＿ＩＦ２０２Ｅ(３)で受信したパケットの宛先が自装置宛ではない場合、１０ＧＥ＿ＩＦ２０２Ｗ(３)から再びパケットリングネットワーク１０２に送信する。同様に、中継用の伝送装置１０１（３）は、例えば１０ＧＥ＿ＩＦ２０２Ｗ(３)で受信したパケットの宛先が自装置宛ではない場合、１０ＧＥ＿ＩＦ２０２Ｅ(３)から再びパケットリングネットワーク１０２に送信する。ここで、中継用の伝送装置１０１(３)の中継処理部６０１は、自装置宛ではないパケットを転送する時に、パケットの位相調整情報のビットＡを確認する。そして、伝送装置１０１(３)の中継処理部６０１は、ビットＡが”１”の場合、ビットＣのカウンタを１つインクリメントして、パケットリングネットワーク１０２に送信する。
【００６４】
このようにして、中継用の伝送装置１０１(３)は、パケットを転送する時に、位相調整情報のビットＡを確認し、ビットＡが”１”の場合にビットＣのカウンタを１つインクリメントする。尚、図１３では、伝送装置１０１(３)について説明したが、図２に示した他の中継用の伝送装置１０１(４) および伝送装置１０１(５)についても、伝送装置１０１(３)と同様に動作する。また、伝送装置１０１(１)および伝送装置１０１(２)も伝送装置１０１(５)と同一又は同様の機能を有する。例えば、伝送装置１０１(３)と伝送装置１０１(４)との間にSDH/SONETのパスを設定する場合、伝送装置１０１(１)および伝送装置１０１(２)は、中継用の伝送装置１０１として動作する。
【００６５】
［位相調整の一例］
図１４は、中継用の伝送装置１０１の台数が異なる場合の一例を示す。図１４において、図２と同符号のブロックは、図２と同一又は同様の機能を有する。図１４と図２との違いは、図２に示した伝送装置１０１(１)のEAST側と伝送装置１０１(２)のWEST側との間に、中継用の伝送装置１０１ (４)および伝送装置１０１(５)に加えて伝送装置１０１(６)の３台の中継用の伝送装置１０１が配置されていることである。
【００６６】
ここで、伝送路遅延について説明する。伝送路遅延は、伝送装置１０１間の距離差、中継用の装置台数、パケット伝送特有の揺らぎなどにより生じる。このため、受信側の伝送装置１０１は、伝送路遅延を吸収できるように、伝送路遅延に相当する時間だけパケットをパケットバッファ５０１に保持して遅延させることが求められる。SDH/SONET信号の場合、揺らぎによる遅延が問題となる。この理由は、送信側(Add側)でパケット化したSDH/SONET信号を受信側(Drop側)でパケットからSDH/SONET信号を途切れることなく復元することが求められるからである。SDH/SONET信号は、１フレームを125μsec間隔で形成するため、受信側の伝送装置１０１(２)は、パケットバッファ５０１から読み出す周期を一定(125μsecに１フレーム)にすることが求められる。ところが、イーサネット（登録商標）の場合、イーサネットフレームの伝送周期が一定でないことや、パケットリングネットワーク１０２内で中継することにより、パケットの到着間隔に揺らぎが発生する。そして、揺らぎにより、パケットが受信側のパケットバッファ５０１に保持されていない状態になると、SDH/SONETの主信号が切断される。このため、受信側の伝送装置１０１(３)は、パケットリングネットワーク１０２内で想定される揺らぎ分に相当する遅延量をパケットバッファ５０１で確保することが求められる。
【００６７】
一方、選択系と予備系とに冗長化してパケットを伝送する場合、受信側の伝送装置１０１の選択系のパケットバッファ５０１と予備系のパケットバッファ５０１とに同一のシーケンス番号のパケットが保持されていることが無瞬断切り替えの条件である。同一のシーケンス番号のパケットが選択系と予備系との両方のパケットバッファ５０１に保持されていない場合、選択系から予備系に経路を切り替えることが困難である。そこで、伝送システム１００は、運用を開始する時や中継用の伝送装置１０１を増減する時に、位相調整を行って、同一のシーケンス番号のパケットが選択系と予備系との両方のパケットバッファ５０１に保持されている状態にする。そして、運用中に中継用の伝送装置１０１を増減する台数分(装置増減設台数分)の距離遅延に相当するパケットをパケットバッファ５０１に保持することが求められる。
【００６８】
図１４において、伝送装置１０１(１)と伝送装置１０１(２)との間で無瞬断で切り替え可能なパス(無瞬断パスと称する)を設定する例について、下記の前提条件で説明する。
【００６９】
[前提条件]
・伝送装置１０１が１台当たりのパケット揺らぎを約20μsecとする。
・伝送装置１０１(１)−＞伝送装置１０１(３)−＞伝送装置１０１(２)の経路をEAST側経路とする。逆に、伝送装置１０１(１)−＞伝送装置１０１(４)−＞伝送装置１０１(５)−＞伝送装置１０１(６)−＞伝送装置１０１(２)の経路をWEST側経路とする。
・伝送装置１０１(１)と伝送装置１０１(２)との間で伝送する主信号パスは、STM-1のVC-4とする。
・図１４の場合のEAST側の距離遅延は、装置遅延も含めて50km分(250μsec、2フレーム分)とする。また、図１４の場合のWEST側の距離遅延は、装置遅延も含めて100km分(500μsec、4フレーム)とする。従って、図１４におけるEAST側とWEST側との距離差は50km(2フレーム分)となる。
【００７０】
図１５は、伝送装置１０１(２)のパケットバッファ５０１に蓄積されるパケットの一例を示す。図１５の例では、揺らぎ吸収用：5フレーム、装置増減設用：3フレーム、EAST側とWEST側の距離差：50km(2フレーム分)、マージン:1フレームである。ここで、EAST側とWEST側との距離差はEAST側の方がWEST側より50km分短く、パケットはEAST側の方がWEST側よりも早く伝送装置１０１(２)に到着する。SDH/SONETの1フレームは、125μsec周期で、光信号の伝送遅延を5μsec当たり1kmとすると、2フレーム分(250μsec)で50km相当分の遅延となる。尚、１フレーム分のマージンは、パケットバッファ５０１から読み出す処理などによる遅延を補償するためにある。
【００７１】
図１５において、選択系のパケットバッファ５０１Ｅは、パケット[1]からパケット[11]までの１１フレーム分のパケットを蓄積し、予備系のパケットバッファ５０１Ｗは、パケット[1]からパケット[9]までの９フレーム分のパケットを蓄積している。これにより、5フレーム分の揺らぎ遅延と、3フレーム分の装置増減設分の遅延とが発生した場合でも、伝送装置１０１(２)は、SDH/SONET信号が途切れることなく、セレクタ部５０２により、選択系から予備系に経路を切り替えることができる。
【００７２】
図１６は、伝送路遅延の一例を示す。図１６（ａ）は、設置可能な中継用の装置台数の上限の台数に対応する揺らぎを考慮した場合の伝送路遅延の一例を示す。また、図１６（ｂ）は、実際に設置されている中継用の装置台数に応じて、適宜、揺らぎの大きさを調整する場合の伝送路遅延の一例を示す。
【００７３】
図１６において、SDH/SONET信号をCEPパケット化してパケットリングネットワーク１０２で伝送する場合、SDH/SONET信号は一定周期で入出力することが求められるので、パケット疎通の揺らぎが問題となる。このため、無瞬断で選択系から予備系への切り替えを実現するには、揺らぎ吸収などのために複数のCEPパケットをパケットバッファ５０１に蓄積することが求められる。例えば、パケットリングネットワーク１０２が32台までの伝送装置１０１を許容し、1台当たり20μsecの揺らぎが発生する可能性があるとするならば、設置可能な中継用の装置台数の上限の台数に対応する遅延時間約600μsec分のパケットを蓄積することが求められる。
【００７４】
このため、図１６（ａ）のように、設置可能な中継用の装置台数の上限の台数の揺らぎを想定した場合、中継用の伝送装置１０１の台数が少ない時でも伝送路遅延は図１６（ｂ）の場合よりも大きくなる。これに対して、図１６（ｂ）のように、中継用の伝送装置１０１の台数に応じて、適宜、揺らぎの大きさを調整する場合、中継用の伝送装置１０１の台数が少ない時の伝送路遅延が小さくなる。
【００７５】
図１７は、位相調整情報を伝送する一例を示す。尚、図１７は、先に説明した図１４に対応する。図１７において、伝送装置１０１(１)から伝送装置１０１(２)へ位相調整情報(ビットＡ，Ｂ，Ｃ)を伝送する例を示すが、図１０で説明したビットＣのカウンタは、分かり易いように、６ビットではなく４ビットの例を示している。また、ビットＣのビット数は、６ビットや４ビット以外でもよい。
【００７６】
図１７において、伝送システム１００が伝送装置１０１(１)と伝送装置１０１(２)との間に無瞬断パスの設定を行う時の処理の流れを以下に示す。
１：伝送装置１０１(１)と伝送装置１０１(２)は、CEPパケットの無瞬断パスの設定を開始する。そして、無瞬断での切り替えを可能にするために、パケットバッファ５０１にパケットをどれだけ蓄積すればよいかを決めるために、伝送装置１０１(１)と伝送装置１０１(２)との間でCEPパケットが送受信される。
２：伝送装置１０１(１)から伝送装置１０１(２)へのCEPパケットは、伝送装置１０１(１)側でビットＡに”１”が立てられ、ビットＣの４ビットのカウンタ値が１に設定される。
３：伝送装置１０１(３)は、伝送装置１０１(１)から受信するCEPパケットのビットＡに”１”が立っている場合、ビットＣのカウンタ値に１を加算してビットＣのカウンタ値を”２”に更新し、伝送装置１０１(３)に転送する。同様に、伝送装置１０１(４) は、伝送装置１０１(１)から受信するCEPパケットのビットＡに”１”が立っている場合、ビットＣのカウンタ値に１を加算してビットＣのカウンタ値を”２”にし、伝送装置１０１(５)に転送する。さらに、伝送装置１０１(５) は、伝送装置１０１(４)から受信するCEPパケットのビットＡに”１”が立っている場合、ビットＣのカウンタ値に１を加算してビットＣのカウンタ値を”３”にし、伝送装置１０１(６)に転送する。そして、伝送装置１０１(６) は、伝送装置１０１(５)から受信するCEPパケットのビットＡに”１”が立っている場合、ビットＣのカウンタ値に１を加算してビットＣのカウンタ値を”４”にし、伝送装置１０１(２)に転送する。
４：伝送装置１０１(２)は、伝送装置１０１(３)から受信するCEPパケットのビットＣのカウンタ値が”２”で、伝送装置１０１(６)から受信するCEPパケットのビットＣのカウンタ値が”４”(装置台数が４台分)であることを検出する。そして、伝送装置１０１(２)は、WEST側の経路の設置可能な中継用の装置台数の上限の台数に対応する揺らぎ遅延を次のように算出する。
４台  ×  ２０μsec  ＝  ８０μsec
これにより、伝送装置１０１(２)は、８０μsec以上の遅延量を確保できる１フレーム（１２５μsec）のパケットを揺らぎ吸収分としてパケットバッファ５０１に蓄積するようにする。そして、伝送装置１０１(２)は、位相調整を完了する。
５：伝送装置１０１(２)は、位相調整の完了後、CEPパケットのビットＢに”１”を立てて伝送装置１０１(１)に送信し、位相調整が完了したことを伝送装置１０１(１)に知らせる。
６：伝送装置１０１(１)は、伝送装置１０１(２)から受信するCEPパケットのビットＢに”１”が立っている場合に、位相調整が完了したことを検出し、ビットＡの値を”０”に戻す。
【００７７】
このようにして、伝送システム１００は、伝送装置１０１(１)と伝送装置１０１(２)との間の位相調整を完了し、無瞬断パスの設定を行うことができる。そして、伝送システム１００は、伝送装置１０１(１)と伝送装置１０１(２)とを通常の運用状態に移行し、通信を開始又は復旧する。
【００７８】
図１８は、位相調整が完了後のパケットバッファ５０１に蓄積されるパケットの一例を示す。図１８の例では、揺らぎ吸収用：1フレーム、装置増減設用：3フレーム、EAST側とWEST側の距離差：50Km(2フレーム分)、マージン:1フレームである。先に図１５で説明したパケットバッファ５０１は、揺らぎ吸収用として6フレーム分を確保していたが、本実施形態に係る伝送システム１００は、図１８に示すように、揺らぎ吸収用として確保する遅延量を1フレーム分で済ませることができる。
（第２実施形態）
第１実施形態に係る伝送システム１００は、運用開始時や中継用の伝送装置１０１の増減後の復旧時に、中継用の伝送装置１０１の台数をカウントすることにより、伝送路遅延が少なくなるようにパケットバッファ５０１に蓄積するパケット数を、適宜、調整した。ところが、パスの運用中に中継用の伝送装置１０１を増減する場合、中継用の伝送装置１０１の増減後に、パケットが到着する時間が変わる場合がある。早着系の経路と遅着系の経路とが入れ替わる場合、同一のシーケンス番号のパケットがパケットバッファ５０１Ｅとパケットバッファ５０１Ｗとに蓄積されない状態が生じる場合がある。このような場合、無瞬断で経路を切り替えることが困難になるので、パケットバッファ５０１に蓄積するパケットの位相の再調整が求められる。尚、パスの運用中に選択系の経路に中継用の伝送装置１０１を増減する場合、通信の切断が発生しないように、保守者は、一旦、選択系から予備系に切り替えて、予備系の経路で伝送装置１０１を増減する。
【００７９】
図１９は、パケットバッファ５０１の一例を示す。尚、図１９は、先に説明した図１８などに対応するが、説明が分かり易いように、装置増減分に相当するフレームは省略してある。図１９において、選択系のパケットバッファ５０１Ｅは遅着系で、パケット[1]とパケット[2]とが蓄積され、予備系のパケットバッファ５０１Ｗは早着系で、パケット[1]とパケット[2]とパケット[3]とパケット[4]とが蓄積されている。ここで、パケット[3]とパケット[4]とは、距離遅延差(50km分)に相当する。
【００８０】
図２０は、パケットの到着時間が逆転した時のパケットバッファ５０１の一例を示す。図２０において、選択系のパケットバッファ５０１Ｅが遅着系から早着系に変わり、パケット[5]とパケット[6]とが蓄積され、予備系のパケットバッファ５０１Ｗは早着系から遅着系に変わり、パケット[1]とパケット[2]とが蓄積されている。ところが、パケットバッファ５０１Ｅとパケットバッファ５０１Ｗとに同一のシーケンス番号のパケットが蓄積されていないので、選択系から予備系に経路を切り替えた場合、SDH/SONET信号が途切れてしまい、瞬断が発生する。
【００８１】
図２１は、位相を再調整する時のパケットバッファ５０１の一例を示す。図２１において、選択系のパケットバッファ５０１Ｅは早着系で、パケット[1]からパケット[6]までの６つのパケットが蓄積され、予備系のパケットバッファ５０１Ｗは遅着系で、パケット[1]とパケット[2]とが蓄積されている。そして、パケットバッファ５０１Ｅは、パケット[3]からパケット[6]までの距離遅延差(100km分)に相当する。ここで、パケットバッファ５０１Ｅとパケットバッファ５０１Ｗとは、同一のシーケンス番号のパケット[1]とパケット[2]とを蓄積しているので、無瞬断で経路を切り替えることができる。
【００８２】
このようにして、伝送システム１００は、位相を再調整して、無瞬断のパスを設定することができる。しかしながら、図２０に示した位相が逆転した状態から位相を再調整するため、瞬断が発生するという問題がある。そこで、本実施形態に係る伝送システム１００は、位相再調整による瞬断が発生しないようにすることができる。
【００８３】
図２２は、STM-1フレームのペイロード部の一例を示す。図２２の例は、STM-1フレームのペイロード部にVC-4パスの信号が格納され、AUポインタのH1/H2の値がVC-4の先頭バイト(J1 バイト)のSTM-1ペイロード内の位置を示す。ここで、AUポインタは、正負スタッフ動作にも利用される。
【００８４】
［AUポインタによる正負スタッフ動作］
SDH/SONET網から例えばSTM-1信号を受信する処理は、図５で説明したように、ＴＤＭ＿ＩＦ３０１が行う。また、ＴＤＭ＿ＩＦ３０１は、SDH/SONET網内で同期した装置内クロックで動作しており、STM-1信号から抽出された受信クロックから装置内クロックへの乗り換えを要する。ところが、VC-3/VC-4パスを有するSTM-1信号は、長距離伝送されて来るため、クロック周波数に位相変動が生じている。クロック周波数に位相変動がある場合、例えば、受信クロックで抽出されたVC-3/VC-4と、受信側の装置内クロックで生成されたSTM-1との間に位相差(進み／遅れ)が生じることがある。そこで、位相差を補償するために、例えば、STM-1に対するVC-3の位相が１バイト分だけ進んだ場合、ＴＤＭ＿ＩＦ３０１は、STM-1のAUポインタのH3バイトにVC-3のデータを入れて補正する。この補正処理は、負スタッフ動作と呼ばれている。逆に、STM-1に対するVC-3の位相が１バイト分だけ遅れた場合、ＴＤＭ＿ＩＦ３０１は、STM-1のAUポインタのH3バイトに続くバイトにVC-3の情報を入れないように補正する。この補正処理は、正スタッフ動作と呼ばれている。
【００８５】
そして、ＴＤＭ＿ＩＦ３０１は、正スタッフ動作後にVC-3/VC-4の先頭を示すポインタ値を１つ増加し、負スタッフ動作後にVC-3/VC-4の先頭を示すポインタ値を１つ減少する。ここで、VC-4の場合、データは3バイト単位で扱われるので、スタッフも3バイト単位で処理され、ポインタ値が１つ増減されると、ペイロード内の位置が3バイト分移動する。尚、VC-3の場合、データは1バイト単位で扱われるので、スタッフも1バイト単位で処理され、ポインタ値が１つ増減されると、ペイロード内の位置が1バイト分移動する。
【００８６】
図２３は、VC-4における正スタッフ動作の一例を示す。尚、図２３は、図２２で説明したSTM-1フレームを縦に４つ並べて描いてある。図２３において、VC-4(1)は、STM-1(1)フレームの6行目の13バイト目が先頭で、次のSTM-1(2)フレームの6行目の12バイト目まで格納される。ここで、VC-4(1)の先頭バイトは、STM-1(1)フレームのAUポインタのH1/H2のポインタ値(n)で示される(nは正の整数)。次のVC-4(2)は、STM-1(2)フレームの6行目の13バイト目が先頭であるが、正スタッフ動作により3バイトの正スタッフがH3バイトに続いて格納される。このため、VC-4(2)は、次のSTM-1(3)フレームの6行目の15バイト目まで格納される。ここで、VC-4(2)の先頭バイトは、STM-1(2)フレームのAUポインタのH1/H2のポインタ値(n)で示される。さらに、次のVC-4(3)の先頭バイトは、STM-1(3)フレームのAUポインタのH1/H2のポインタ値で示されるが、STM-1(3)の正スタッフ動作により、ポインタ値が１つ増加され、H1/H2のポインタ値は(n+1)となる。
【００８７】
尚、送信側の伝送装置１０１は、スタッフ動作を行った場合、受信側の伝送装置１０１にスタッフ動作を行ったことを知らせることが求められる（スタッフの指示と称する）。例えばSDHでは、送信側の伝送装置１０１が受信側の伝送装置１０１にスタッフを指示するために、STM-1フレームのVC(VC-4/VC-3など)の先頭を示しているポインタの偶数ビットまたは奇数ビットを反転させる規定になっている。例えば、偶数ビットが反転している場合、当該VCが正スタッフであることを示し、奇数ビットが反転している場合、当該VCが負スタッフであることを示す。
【００８８】
このように、CES方式では、クロック周波数の位相変動に対応するため、正負のスタッフ動作が行われている。本実施形態に係る伝送システム１００は、CES方式の正スタッフ動作を利用して位相調整を行っている。
［スタッフ動作による位相調整］
第２実施形態に係る伝送システム１００は、上記で説明したSDH/SONETの正スタッフ動作を利用して、SDH/SONETの主信号を少しずつ遅延させることで、図１９から図２１で説明した位相の再調整による瞬断の発生を防ぐことができる。
【００８９】
図２４は、第２実施形態に係るパケット受信部３０３ａの一例を示す。尚、図２４において、図１２と同符号のブロックは、図１２と同一又は同様の機能を有する。
【００９０】
図２４において、パケット受信部３０３ａは、図１２のパケット受信部３０３と同様に、パケットバッファ５０１Ｅと、パケットバッファ５０１Ｗと、セレクタ部５０２と、CESヘッダ除去部５０３と、パス切替部５０４とを有する。さらに、パケット受信部３０３ａは、制御部５０５ａと、位相処理部５０６ａと、読出制御部５０７と、セレクタ部５０８と、位相調整用バッファ５０９と、位相調整切替部５１０と、スタッフ制御部５１１とを有する。
【００９１】
ここで、制御部５０５ａは、図１２の制御部５０５とは一部の機能が異なり、後述する読出制御部５０７、後述する位相調整切替部５１０、後述するスタッフ制御部５１１などを制御する。また、図２４の位相処理部５０６ａは、位相の再調整を要することを検出して制御部５０５ａに通知する処理を行うが、さらに図１２の位相処理部５０６と同一又は同様の機能を有してもよい。位相処理部５０６ａが第１実施形態の位相処理部５０６と同一又は同様の機能を有する場合、第２実施形態に係る伝送システム１００は、第１実施形態と第２実施形態の両方の効果を得ることができる。
【００９２】
読出制御部５０７は、パケットバッファ５０１Ｅおよびパケットバッファ５０１Ｗに蓄積されているCEPパケットを読み出すタイミングを制御したり、一時的に読み出しを止めてパケットバッファ５０１にパケットを蓄積する制御を行う。また、読出制御部５０７は、CESヘッダ除去部５０３が出力するSDH/SONET信号を後述する位相調整用バッファ５０９に書き込むタイミングや位相調整用バッファ５０９からSDH/SONET信号を読み出すタイミングを制御する。尚、読出制御部５０７は、位相調整用バッファ５０９に対して一時的にSDH/SONET信号の読み出しを止める機能(Enable/Disable制御機能)を有する。
【００９３】
セレクタ部５０８は、CESヘッダ除去部５０３が直接出力するSDH/SONET信号または位相調整用バッファ５０９から読み出されるSDH/SONET信号を選択してＴＤＭ＿ＩＦ３０１に出力する。例えば、伝送装置１０１が外部の監視制御装置などから位相調整指示を受けた場合、制御部５０５ａは、伝送装置１０１の制御部２０３から位相調整を開始する指令を受ける。そして、制御部５０５ａは、位相調整用バッファ５０９から読み出されるSDH/SONETの主信号をＴＤＭ＿ＩＦ３０１に出力するようにセレクタ部５０８を切り替える。制御部５０５ａは、パケットバッファ５０１が図１９の状態から図２１の状態になると、位相調整を終了する。そして、制御部５０５ａは、セレクタ部５０８をCESヘッダ除去部５０３側に切り戻し、CESヘッダ除去部５０３が出力するSDH/SONETの主信号をＴＤＭ＿ＩＦ３０１に出力する。
【００９４】
位相調整用バッファ５０９は、読出制御部５０７により制御され、データの書き込み速度に対して読み出し速度が少し遅くなるようにSDH/SONET信号を読み書きするクロックが設定されている。そして、読出制御部５０７は、位相調整用バッファ５０９の後段のSDH/SONET信号を復元するＴＤＭ＿ＩＦ３０１で正スタッフ処理ができるような速度で位相調整用バッファ５０９に蓄積されているSDH/SONET信号を読み出す。ここで、読出制御部５０７は、書き込み速度よりも読み出し速度が少し遅くなるようにSDH/SONET信号を位相調整用バッファ５０９から読み出すので、SDH/SONET信号が少しずつ位相調整用バッファ５０９に蓄積されていく。また、位相調整用バッファ５０９は、SDH/SONET信号の書き込み動作をEnableまたはDisableする機能を有し、読出制御部５０７は、通常運用時の位相調整用バッファ５０９をDisableに設定し、主信号を書き込めないようにする。
【００９５】
位相調整切替部５１０は、制御部５０５ａの指令に応じてセレクタ部５０８の切り替えを行う。
【００９６】
スタッフ制御部５１１は、位相調整用バッファ５０９に蓄積されたSDH/SONET信号の蓄積状態に合わせて、先に図２３で説明したような正スタッフ処理を行う。例えば、スタッフ制御部５１１は、SDH/SONET信号を復元するＴＤＭ＿ＩＦ３０１に正スタッフ処理を強制的に実施させる。
【００９７】
このようにして、第２実施形態に係る伝送システム１００は、SDH/SONETの正スタッフ動作を利用して、位相調整用バッファ５０９にSDH/SONET信号を少しずつ蓄積していく。そして、受信側の伝送装置１０１は、SDH/SONET信号を少しずつ位相調整用バッファ５０９に蓄積することにより、パケットバッファ５０１に蓄積されるパケットの数も増やすことができる。これにより、本実施形態に係る伝送システム１００は、SDH/SONET信号が切断されることなく、位相調整を行うことができるので、図１９から図２１で説明した位相の再調整による瞬断の発生を防ぐことができる。
【００９８】
ここで、第１実施形態で説明した図１４の状態から中継用の伝送装置１０１を増加する例について説明する。
【００９９】
図２５は、中継用の伝送装置１０１を増設する一例を示す。尚、図２５において、受信側の伝送装置１０１(２)を基準にして、EAST側が選択系の経路、WEST側が予備系の経路とする。
【０１００】
図２５において、図１４に示した伝送システム１００の伝送装置１０１(２)のEAST側の経路に、伝送装置１０１(７)、伝送装置１０１(８)、伝送装置１０１(９)および伝送装置１０１(１０)の４つの伝送装置１０１が増設されている。WEST側の経路は、伝送装置１０１(４)、伝送装置１０１(５)および伝送装置１０１(６)が配置され、図１４の場合と同じように、距離遅延は100km相当分である。これに対して、４台の伝送装置１０１が増設されたEAST側の経路の距離遅延は200km相当分である。
【０１０１】
図２６は、増設前の伝送装置１０１(２)のパケットバッファ５０１の一例を示す。尚、図２６は、第１実施形態を適用しない場合は図１５、第１実施形態を適用する場合は図１８、の状態にそれぞれ相当するが、分かり易いように、距離遅延差分に相当するパケットに特化して説明する。図２６において、増設前の伝送装置１０１(２)のパケットバッファ５０１Ｅは、図１４の構成なので、パケットバッファ５０１Ｗよりも多い距離遅延差50km分に相当する２つのパケット(パケット[3],パケット[4])を蓄積するように位相調整されている。これにより、伝送システム１００は、選択系から予備系に無瞬断で切り替えることができる。一方、図２５の場合、距離遅延は、WEST側よりもEAST側の方が100km分遅くなる。
【０１０２】
図２７は、中継用の伝送装置１０１を増設する時のパケットバッファ５０１の一例を示す。尚、図２７は、図２６と同様に、距離遅延差分に相当するパケットに特化して描いてある。ここで、保守者は、運用している選択系のEAST側の経路に４台の伝送装置１０１を増設するので、通信が途切れないように、選択系(EAST側)の経路を一時的に予備系にし、予備系(WEST側)の経路を選択系に切り替えておく(図２７（ａ）の状態)。図２７（ａ）において、WEST側の経路のパケットバッファ５０１Ｗが選択系として動作し、セレクタ部５０２は、パケットバッファ５０１Ｗ側から読み出したパケットをＴＤＭ＿ＩＦ３０１に出力する。図２７（ａ）の状態で、保守者が中継用の４台の伝送装置１０１をEAST側の経路に増設すると、予備系のEAST側の経路から受信するパケットの到着がWEST側の経路よりも遅くなる(図２７（ｂ）の状態)。図２７（ｂ）において、選択系のWEST側のパケットバッファ５０１Ｗは、パケット[15]，パケット[16]を蓄積している。これに対して、予備系のEAST側のパケットバッファ５０１Ｅは、パケット[11]，パケット[12]を蓄積しており、選択系から予備系へ無瞬断で切り替えることが困難である。
【０１０３】
このように、選択系のパケットバッファ５０１Ｗと予備系のパケットバッファ５０１Ｅとに蓄積されているパケットが同一のシーケンス番号を有さない場合、受信側の伝送装置１０１(２)は、位相の再調整を要求する通知を監視制御装置に送信する。そして、保守者が位相の再調整をコマンド制御などによって手動で実施するか、或いは、伝送システム１００が自律的に位相の再調整を実施する。ところが、先に説明したように、位相の再調整は、SDH/SONETの通信の瞬断を伴うという問題が生じる。
【０１０４】
そこで、第２実施形態に係る伝送システム１００は、図２４で説明したように、正スタッフ動作を利用して、無瞬断で位相の再調整を行う。
【０１０５】
図２８は、正スタッフ動作を利用して位相の再調整を行う一例を示す。尚、図２８は、図２４と同一又は同様の機能を有するパケット受信部３０３ａを示すが、選択系のWEST側のパケットバッファ５０１Ｗと予備系のEAST側のパケットバッファ５０１Ｅは、図２７（ｂ）の状態になっている。図２８において、伝送装置１０１(２)の制御部２０３は、監視制御装置から位相の再調整の指令を受け、パケット受信部３０３ａの制御部５０５ａに位相の再調整を開始するように指示する。位相の再調整の指令を受けた制御部５０５ａは、位相調整切替部５１０によりセレクタ部５０８を位相調整用バッファ５０９側に切り替え、読出制御部５０７にパケットバッファ５０１と位相調整用バッファ５０９との読み出しタイミングの制御を指示する。また、制御部５０５ａは、スタッフ制御部５１１を介して、SDH/SONET信号を復元するＴＤＭ＿ＩＦ３０１に正スタッフ処理を強制的に実施させる。
【０１０６】
図２８において、スタッフ動作を用いた位相調整は、以下の手順で実施される。
(1)位相処理部５０６は、CEPパケットのシーケンス番号を調べて、予備系のパケットバッファ５０１Ｅに選択系のパケットバッファ５０１Ｗと同一のシーケンス番号を有するCEPパケットがないことを確認する。そして、位相処理部５０６は、予備系のCEPパケットの到着が遅れていることを検知(100km分遅いことを検知)し、位相の再調整を要することを制御部５０５ａに通知する。
(2)読出制御部５０７は、位相調整用バッファ５０９の書き込みをEnableにする。そして、読出制御部５０７は、パケットバッファ５０１ＷからCEPパケットを読み出し、CESヘッダ除去部５０３でCEPパケットのヘッダが除去されたSDH/SONET信号を位相調整用バッファ５０９に格納していく。読出制御部５０７の動作に並行して、制御部５０５ａは、位相調整切替部５１０に指示して、セレクタ部５０８を位相調整用バッファ５０９側に切り替える。
(3)SDH/SONET信号を復元するＴＤＭ＿ＩＦ３０１は、スタッフ制御部５１１から強制スタッフ処理の指示を受けて正スタッフ処理を実施する。
(4)SDH/SONETの主信号が783バイト分(STM-1の1フレーム分)が位相調整用バッファ５０９に溜まった時、読出制御部５０７は、パケットバッファ５０１ＥからCEPパケットを読み出す制御をDisableにする。そして、読出制御部５０７は、位相調整用バッファ５０９に溜まった信号をＴＤＭ＿ＩＦ３０１に出力する。
(5)位相調整用バッファ５０９からSDH/SONET信号をＴＤＭ＿ＩＦ３０１に出力後、再度、パケットバッファ５０１ＷからCEPパケットの読み出し制御をEnableにする。ここで、パケットバッファ５０１ＥにはSTM-1のフレームが１つ分溜まることになる。
(6)図２５の場合、距離遅延差に相当する４フレーム分(100km分)のCEPパケットをパケットバッファ５０１Ｗに溜めることが求められるので、伝送装置１０１(２)は、上記手順(3)から(5)までの処理を後３回繰り返す。
(7)パケットバッファ５０１ＷにSTM-1が４フレーム分のCEPパケットが溜まれば、位相の再調整は終了となり、読出制御部５０７は、位相調整用バッファ５０９への書き込みをDisableにする。そして、制御部５０５ａは、位相調整切替部５１０によりセレクタ部５０８をCESヘッダ除去部５０３側に切り替え、スタッフ制御部５１１に指示してＴＤＭ＿ＩＦ３０１での強制スタッフ処理を終了させる。
【０１０７】
図２９は、正スタッフ動作を利用して位相再調整後のパケットバッファ５０１の一例を示す。図２９において、選択系のWEST側のパケットバッファ５０１Ｗは、距離遅延差の100kmに相当するパケット[3]，パケット[4]，パケット[5]およびパケット[6]が蓄積されている。一方、予備系のEAST側のパケットバッファ５０１Ｅに蓄積されているパケット[1]，[2]と同一のシーケンス番号のパケットが選択系のパケットバッファ５０１Ｗにも蓄積された状態になっているので、選択系から予備系への切り替えを無瞬断で行うことができる。
【０１０８】
このように、本実施形態に係る伝送システム１００は、正スタッフ分のSDH/SONETの主信号を少しずつ位相調整用バッファ５０９に蓄積して、１フレーム分が溜まる毎に出力する。これにより、パケットバッファ５０１からパケットを読み出すタイミングが少しずつ遅くなる。これにより、受信側の伝送装置１０１は、遅着系のパケットバッファ５０１に蓄積するパケットを増加していくので、無瞬断での位相の再調整を実現できる。
【０１０９】
ここで、第１実施形態の処理と第２実施形態の処理との両方の機能を実施した場合、以下の効果が得られる。
【０１１０】
本実施形態に係る伝送システム１００を適用しない場合、パケットリングネットワーク１０２内において、設置可能な中継用の装置台数の上限の台数に対応する揺らぎ吸収分のパケットの遅延が求められる。一方、第１実施形態に係る伝送システム１００は、実際に設置されている中継用の伝送装置１０１の台数に応じて揺らぎ吸収分を調整することができる。これにより、第１実施形態に係る伝送システム１００は、設置可能な中継用の装置台数の上限の台数に対応する揺らぎ吸収分のパケットの遅延を行う場合に比べて、伝送路遅延を小さくすることができる。
【０１１１】
また、第２実施形態を適用することで、本実施形態に係る伝送システム１００は、運用している選択系のSDH/SONET信号に影響を与えることなく、無瞬断で位相の再調整を行うので、伝送品質の向上を図ることができる。
【０１１２】
図３０は、第１実施形態と第２実施形態とを適用した時のパケットバッファ５０１の一例を示す。尚、図３０は、パケットバッファ５０１Ｅの様子を示している。図３０（ａ）は、図１５に示したパケットバッファ５０１Ｅと同じ状態であり、第１実施形態と第２実施形態との両方を適用しない場合の例を示す。図３０（ａ）では、伝送システム１００は、揺らぎ吸収分として5フレーム分と、装置増減設分として3フレーム分とをそれぞれ用意している。そして、第１実施形態を適用した場合、パケットバッファ５０１Ｅは、図１８に示したように、揺らぎ吸収分は1フレーム分で済むため、伝送路遅延は、図３０（ａ）の状態に比べて、4フレーム分(4 * 125μsec = 500μsec)だけ減少する。さらに、第２実施形態を適用した場合、パケットバッファ５０１Ｅは、図３０（ｂ）に示すように、図１８に示した装置増減設分の3フレーム分(3 * 125μsec = 375μsec)が無くなる。このため、伝送路遅延は、図３０（ａ）の状態に比べて、第１実施形態による4フレーム分(500μsec)に第２実施形態による3フレーム分(375μsec)を加えた875μsecだけ減少する。
【０１１３】
このように、第１実施形態と第２実施形態とを組み合わせることにより、両方の効果を得ることができる。例えば、伝送システム１００は、パケットリングネットワーク１０２内の伝送装置１０１の増減設に対応して、伝送路遅延の削減効果が得られると共に、装置増減設により位相が逆転した場合でも、無瞬断で位相の再調整を行うことができる。
【０１１４】
以上の詳細な説明により、実施形態の特徴点および利点は明らかになるであろう。これは、特許請求の範囲がその精神および権利範囲を逸脱しない範囲で前述のような実施形態の特徴点および利点にまで及ぶことを意図するものである。また、当該技術分野において通常の知識を有する者であれば、あらゆる改良および変更に容易に想到できるはずである。したがって、発明性を有する実施形態の範囲を前述したものに限定する意図はなく、実施形態に開示された範囲に含まれる適当な改良物および均等物に拠ることも可能である。
【符号の説明】
【０１１５】
１００・・・伝送システム；１０１・・・伝送装置；１０２・・・パケットリングネットワーク；１５１・・・同期伝送装置；１５２・・・同期伝送装置；２０１・・・ＣＥＳ＿ＩＦ；２０２・・・１０ＧＥ＿ＩＦ；２０３・・・制御部；３０１・・・ＴＤＭ＿ＩＦ；３０２・・・パケット送信部；３０３，３０３ａ・・・パケット受信部；４０１・・・パケット組立部；４０２・・・位相調整情報設定部；４０３・・・ＳＮ付与部；５０１・・・パケットバッファ；５０２・・・セレクタ部；５０３・・・CESヘッダ除去部；５０４・・・パス切替部；５０５，５０５ａ・・・制御部；５０６・・・位相処理部；５０７・・・読出制御部；５０８・・・セレクタ部；５０９・・・位相調整用バッファ；５１０・・・位相調整切替部；５１１・・・スタッフ制御部
【図１】
2015162747.tif 000003
【図２】
2015162747.tif 000004
【図３】
2015162747.tif 000005
【図４】
2015162747.tif 000006
【図５】
2015162747.tif 000007
【図６】
2015162747.tif 000008
【図７】
2015162747.tif 000009
【図８】
2015162747.tif 000010
【図９】
2015162747.tif 000011
【図１０】
2015162747.tif 000012
【図１１】
2015162747.tif 000013
【図１２】
2015162747.tif 000014
【図１３】
2015162747.tif 000015
【図１４】
2015162747.tif 000016
【図１５】
2015162747.tif 000017
【図１６】
2015162747.tif 000018
【図１７】
2015162747.tif 000019
【図１８】
2015162747.tif 000020
【図１９】
2015162747.tif 000021
【図２０】
2015162747.tif 000022
【図２１】
2015162747.tif 000023
【図２２】
2015162747.tif 000024
【図２３】
2015162747.tif 000025
【図２４】
2015162747.tif 000026
【図２５】
2015162747.tif 000027
【図２６】
2015162747.tif 000028
【図２７】
2015162747.tif 000029
【図２８】
2015162747.tif 000030
【図２９】
2015162747.tif 000031
【図３０】
2015162747.tif 000032